【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
動画像を構成する各ピクチャをグループ管理するとともに、前記各ピクチャをフレーム内予測符号化方式、フレーム間予測符号化方式のいずれかを用いて符号化する符号化装置であって、
グループ管理するピクチャの数を、各グループに対して決定する決定手段と、
前記グループごとに、各ピクチャに適用する符号化方式を選択する制御手段と、
前記制御手段が選択した符号化方式に基づいて各ピクチャを符号化する符号化手段とを有し、
前記制御手段が、
前記グループの各々について、グループの先頭から同じ位置に存在する１枚のピクチャに対して前記フレーム内予測符号化方式を選択するとともに、前記決定手段が決定したピクチャの数が予め定めた値を超えるグループについては、当該グループに含まれる前記フレーム内予測符号化方式が選択されるピクチャから、前記予め定めた値の周期に対応するピクチャについて、参照先画像が、同一グループ内の前記フレーム内予測符号化が選択されたピクチャから、直前のピクチャまでの符号化データのみから復号化可能なピクチャに制限された前記フレーム間予測符号化方式を選択することを特徴とする符号化装置。
【請求項２】
さらに、前記制御手段が、
前記グループの各々について、予め定められた周期に対応し、かつ前記フレーム内予測符号化が選択されるピクチャを除く各ピクチャに対して、参照先画像が前記フレーム内予測符号化が選択されるピクチャもしくは前記予め定められた周期に対応する他のピクチャに制限された前記フレーム間予測符号化方式を選択するとともに、
残りのピクチャについては、参照先画像に前記制限のない前記フレーム間予測符号化方式を選択することを特徴とする請求項１記載の符号化装置。
【請求項３】
前記決定手段が、前記動画像の入力元の種類、記録データレート、符号化データの記録媒体の種類、前記記録媒体の空き容量の少なくとも１つに基づいて、符号化効率を向上させる必要があると判断されない場合には第１の数を、符号化効率を向上させる必要があると判断される場合には前記第１の数よりも多い第２の数を、前記各グループを構成するピクチャの数に決定することを特徴とする請求項１又は請求項２記載の符号化装置。
【請求項４】
動画像を構成する各ピクチャをグループ管理するとともに、前記各ピクチャをフレーム内予測符号化方式、フレーム間予測符号化方式のいずれかを用いて符号化する符号化方法であって、
決定手段が、グループ管理するピクチャの数を、各グループに対して決定する決定工程と、
制御手段が、前記グループ単位で、各ピクチャに適用する符号化方式を選択する制御工程と、
符号化手段が、前記制御工程で選択された符号化方式に基づいて各ピクチャを符号化する符号化工程とを有し、
前記制御工程では、
前記グループの各々について、グループの先頭から同じ位置に存在する１枚のピクチャに対して前記フレーム内予測符号化方式を選択するとともに、前記決定工程で決定されたピクチャの数が予め定めた値を超えるグループについては、当該グループに含まれる前記フレーム内予測符号化方式が選択されるピクチャから、前記予め定めた値の周期に対応するピクチャについて、参照先画像が、同一グループ内の前記フレーム内予測符号化が選択されたピクチャから、直前のピクチャまでの符号化データのみから復号化可能なピクチャに制限された前記フレーム間予測符号化方式を選択することを特徴とする符号化方法。
【請求項５】
コンピュータを、請求項１乃至請求項３のいずれか１項に記載の符号化装置の各手段として機能させるためのプログラム。
【請求項６】
請求項５記載のプログラムを格納したコンピュータ読み取り可能な記録媒体。
【手続補正２】
【補正対象書類名】明細書
【補正対象項目名】００１４
【補正方法】変更
【補正の内容】
【００１４】
すなわち、上述の目的は、動画像を構成する各ピクチャをグループ管理するとともに、各ピクチャをフレーム内予測符号化方式、フレーム間予測符号化方式のいずれかを用いて符号化する符号化装置であって、グループ管理するピクチャの数を、各グループに対して決定する決定手段と、グループ単位で、各ピクチャに適用する符号化方式を選択する制御手段と、制御手段が選択した符号化方式に基づいて各ピクチャを符号化する符号化手段とを有し、制御手段が、グループの各々について、グループの先頭から同じ位置に存在する１枚のピクチャに対してフレーム内予測符号化方式を選択するとともに、決定手段が決定したピクチャの数が予め定めた値を超えるグループについては、当グループに含まれるフレーム内予測符号化方式が選択されるピクチャから、予め定めた値の周期に対応するピクチャについて、参照先画像が、同一グループ内のフレーム内予測符号化が選択されたピクチャから、直前のピクチャまでの符号化データのみから復号化可能なピクチャに制限されたフレーム間予測符号化方式を選択することを特徴とする本発明の符号化装置によって達成される。
【手続補正３】
【補正対象書類名】明細書
【補正対象項目名】００１５
【補正方法】変更
【補正の内容】
【００１５】
また、上述の目的は、動画像を構成する各ピクチャをグループ管理するとともに、各ピクチャをフレーム内予測符号化方式、フレーム間予測符号化方式のいずれかを用いて符号化する符号化方法であって、決定手段が、グループ管理するピクチャの数を、各グループに対して決定する決定工程と、制御手段が、グループ単位で、各ピクチャに適用する符号化方式を選択する制御工程と、符号化手段が、制御工程で選択された符号化方式に基づいて各ピクチャを符号化する符号化工程とを有し、制御工程では、グループの各々について、グループの先頭から同じ位置に存在する１枚のピクチャに対してフレーム内予測符号化方式を選択するとともに、決定工程で決定されたピクチャの数が予め定めた値を超えるグループについては、当グループに含まれるフレーム内予測符号化方式が選択されるピクチャから、予め定めた値の周期に対応するピクチャについて、参照先画像が、同一グループ内のフレーム内予測符号化が選択されたピクチャから、直前のピクチャまでの符号化データのみから復号化可能なピクチャに制限されたフレーム間予測符号化方式を選択することを特徴とする本発明の符号化方法によっても達成される。
【手続補正４】
【補正対象書類名】明細書
【補正対象項目名】００２３
【補正方法】変更
【補正の内容】
【００２３】
次に、特殊再生動作に関して説明する。ユーザがＵＩ処理部１０を介して特殊再生の開始を指示すると、制御部２０は再生処理部５００、復号化処理部６００及び映像出力部７００を制御して特殊再生処理を開始する。
【手続補正５】
【補正対象書類名】明細書
【補正対象項目名】００７９
【補正方法】変更
【補正の内容】
【００７９】
スイッチ部６３５は予測方式制御部６８０により制御され、加算器６１８の出力（復号された画像データ）を、第３フレームメモリ（ＦＭ）６３６又はデブロッキングフィルタ部（ＤＢＦ）６５０のいずれかへ出力する。第３フレームメモリ６３６は、スイッチ部６３５から供給される、復号された画像データを保持する。イントラ予測復号化部６４０は、第３フレームメモリ６３６に保持された画像データを用いて、復号化処理されるブロックの周辺画素からブロック内の画像データを予測する。スイッチ部６６０は、予測方式制御部６８０により制御され、イントラ予測復号化部６４０又はインター予測復号化部６５６のいずれかの出力を加算器６１８へ出力する。
【手続補正６】
【補正対象書類名】明細書
【補正対象項目名】００８４
【補正方法】変更
【補正の内容】
【００８４】
まず、逆量子化部６１４で、エントロピー復号化された画像データを所定の量子化スケールで逆量子化し、整数変換係数を生成する。この整数変換係数に対して逆整数変換部６１６で逆整数変換を施すことで、画素データが復元される。復元された画素データは後述する予測画像データを加算器６１８で加算して、最終的な復号結果である画像データを生成する。この復号画像データは、出力部６２０から出力される。